(57)【特許請求の範囲】
【請求項１】
外郭を構成する本体と、
この本体の上部を覆うように設けられ、被加熱物を載置するトッププレートと、を備え、
前記本体は、加熱部と、
この加熱部を制御する制御部品を搭載し、側方挿入タイプの第１のコネクターを少なくとも１つ備えた基板と、を備え、
前記基板が前記本体の底面に対して垂直に配置されたとき、前記第１のコネクターの少なくとも１つは前記基板の上部に位置し、
冷却風を供給する冷却ファンを収納するファンケースと、
少なくとも側壁、底面から構成され、複数の前記基板を収容し、冷却風路を構成する基板用ケースと、
複数の前記基板の内少なくとも２つの基板同士を、前記第１のコネクターを介して接続するコネクター付きのフラットケーブルと、を備え、
このフラットケーブルは、前記基板の上端部を跨がるように配設され、前記基板用ケースの天井の一部を構成する
ことを特徴とする加熱調理器。
【請求項２】
前記第１のコネクターの挿入口は上方を向くことを特徴とする請求項１に記載の加熱調理器。
【請求項３】
前記基板を複数備え、
前記基板は、該基板が前記本体の底面に対して垂直に配置されたとき、該基板の下側に側方挿入タイプの第２のコネクターを備え、前記基板同士は前記第２のコネクターを介して電気的に接続されることを特徴とする請求項１または請求項２に記載の加熱調理器。
【請求項４】
前記フラットケーブルは、複数の前記基板の内少なくとも最も外側の基板同士を接続することを特徴とする請求項１〜３のいずれか一項に記載の加熱調理器。
【請求項５】
前記第１のコネクターは、前記フラットケーブルが前記基板用ケースの天井と連続した天井を構成するように基板上の特定位置に設けられることを特徴とする請求項１〜４のいずれか一項に記載の加熱調理器。
【発明の詳細な説明】
【技術分野】
【０００１】
本発明は、加熱調理器に関するものであり、特に加熱部を制御する制御部品を搭載する基板に関する。
【背景技術】
【０００２】
従来の加熱調理器として、部品点数を少なくする目的で制御基板を冷却手段の排気側が下となるように本体の底面に対して傾斜させて本体内に設置し、制御基板の傾斜を用いて上方の加熱コイルに冷却風を導くものが知られている（例えば、特許文献１参照）。
【先行技術文献】
【特許文献】
【０００３】
【特許文献１】特許第４０１６９１６号公報
【発明の概要】
【発明が解決しようとする課題】
【０００４】
しかしながら、上記特許文献１に記載された従来の加熱調理器において、基板にはケーブル類を束ねるハーネスが必ず接続されるため、現実的にはハーネスにより風路の少なくとも一部が閉塞されたり風向が変更されたりする場合があり、この場合には冷却効率の低下を招くという問題がある。
また、上記特許文献１に記載された従来の加熱調理器においては、基板を傾斜させて配置するものの、基板の面は本体の底面に対して垂直でなく、本体の底面とほぼ同一方向（水平）になるように設置されている。また、基板を冷却する風路と魚などを焼くグリル部が左右方向に隣接しているため、結果、左右方向の幅が大きくなってしまい、加熱調理器の小型化が困難となっている。このため、スペースの限られた台所への設置には不向きであるという問題があった。
【０００５】
本発明は、このような問題点を解決するために為されたものであり、主な目的は基板の実装効率を高め、従来よりも小型化が可能な加熱調理器を提供することにある。
また、加熱調理器の基板を含む機器類の冷却効率の低下を防止可能な加熱調理器を提供することを目的としている。
【課題を解決するための手段】
【０００６】
本発明に係る加熱調理器は、外郭を構成する本体と、本体の上部を覆うように設けられ、被加熱物を載置するトッププレートと、を備え、本体は、加熱部と、加熱部を制御する制御部品を搭載し、側方挿入タイプの第１のコネクターを少なくとも１つ備えた基板と、を備え、基板が本体の底面に対して垂直に配置されたとき、第１のコネクターの少なくとも１つは基板の上部に位置し、冷却風を供給する冷却ファンを収納するファンケースと、少なくとも側壁、底面から構成され、複数の基板を収容し、冷却風路を構成する基板用ケースと、複数の基板の内少なくとも２つの基板同士を、第１のコネクターを介して接続するコネクター付きのフラットケーブルと、を備え、このフラットケーブルは、基板の上端部を跨がるように配設され、基板用ケースの天井の一部を構成するものである。
【発明の効果】
【０００７】
本発明によれば、側方挿入型のコネクターを基板に取り付け、基板を本体底面に垂直に配置したとき、上記コネクターが基板の上部に位置するように構成されているので、接続作業が容易であり、基板の実装効率を上げることができ、加熱調理器の小型化を図ることができる。
【図面の簡単な説明】
【０００８】
【図１】この発明の実施の形態１における誘導加熱調理器の概要を示す斜視図である。
【図２】この発明の実施の形態１における誘導加熱部を制御する基板のケーブル接続を示す図である。
【図３】この発明の実施の形態１における誘導加熱調理器の基板用ケースの配置と基板間の接続を示す図である。
【図４】この発明の実施の形態２における誘導加熱調理器のファンケースと基板用ケースとを示す構成図である。
【発明を実施するための形態】
【０００９】
実施の形態１．
図１はこの発明の実施の形態１における誘導加熱調理器の概要を示す斜視図であり、キッチンカウンターに組み込まれた状態を示している。図１に示すように、誘導加熱調理器１００は、キッチンカウンター２００に組み込まれた本体１と、この本体１の上部を覆うように設けられ鍋などの被加熱物を載置するトッププレート２と、を備え、本体１は、被加熱物を加熱する左右に１つずつ設けられた誘導加熱部３ａ、３ｂと、前面に扉を有するグリル部４とを備えている。なお、誘導加熱調理器１００はキッチンカウンター２００に組み込まれた状態ではキッチンカウンター２００の天面とトッププレート２の上面がほぼ面一になるように収納される。また、このとき前面にはグリル扉と本体１の前面意匠パネル５が見えるように収納されている。以下、誘導加熱部３ａ、３ｂをまとめて誘導加熱部３と呼ぶ。
【００１０】
図２は、この発明の実施の形態１における誘導加熱部を制御する基板のケーブル接続を示す図である。図２（ａ）は、基板とコネクターケーブルとの関係を示す透視図であり、図２（ｂ）は図２（ａ）のコネクターの要部を拡大した図である。
図２（ａ）に示すように、正面から見て誘導加熱部３の本体１のグリル部４の右側に本体底面に対して垂直に複数の基板６が配置されている。
また図２（ｂ）に示すようにコネクター７１は側方挿入タイプのコネクターであり、基板６が本体１の底面に垂直に配置されているとき、この基板６の上部に取り付けられ、接続端子の向きが基板の方向と平行即ち、上方を向いた状態に構成されている。そして図２（ａ）（ｂ）に示すようにこの接続端子に対応するコネクター７３付きのケーブル７２が上方から下方へ押し込まれると、コネクター７３の雄の接続端子が雌のコネクター７１に挿入されることで電気的に接続される。
この場合、コネクター７１が基板６の上部にあるため、コネクター接続作業の際に作業者は手を基板６の奥まで入れる必要がなく、接続作業が極めて簡単であり、間違いも少ない。特に、基板が複数枚になった場合には、基板と基板の間は暗く、接続作業において、ミスを発生し易い。また、基板の裏面にはハンダ付けされた各部品のピンが鋭く出張っており、作業者の手に擦り傷などが発生し易い。これに対して、コネクターが基板の上部にあると、コネクター７１の接続口を見ながら接続作業を進めることができ、なお且つ作業者が手を奥まで差し込む必要がないため、接続作業におけるミスも少なく、手傷を負うこともなく、高い効率で作業を進めることができる。
【００１１】
図３は、この発明の実施の形態１における誘導加熱調理器の基板用ケースの配置と基板間の接続を示す図である。
図３に示すように、基板６の面にコネクター７を接続し、このコネクター７からコネクター付きケーブル７２を介して、基板用ケース８とは異なる場所、例えば、グリル部４の上部に配置された別の基板と接続するように構成されている。
一方、基板用ケース８内には複数の基板６を収容できるが、これらの基板６を本体底面に垂直に配置したときに基板の下側になる位置に上部のコネクター７とは別のコネクター９を設け、この下側のコネクター９を介してケーブル接続することで、これらの基板６同士が接続される。
【００１２】
以上のように、この実施の形態によれば、側方挿入型のコネクターを基板の面に設け、基板を本体底面に垂直に配置したとき、このコネクターが基板の上部に位置するように構成したので、基板の実装効率を高めることができ、誘導加熱調理器の小型化を図ることができる。また、作業者は接続作業を安全かつ確実にしかも高い効率で進めることができる。
【００１３】
実施の形態２．
実施の形態１では、主にコネクターと基板との関係について説明したが、この実施の形態では、複数の基板とコネクター付きケーブルとの関係について説明する。
図４は、この発明の実施の形態２における誘導加熱調理器のファンケースと基板用ケースとを示す構成図である。
図４に示すように、基板用ケース８の一方の開口部とファンケース１０の出口が接続されている。なお、このファンケース１０は図示しないファンを内蔵しており、このファンが作動することにより上方の口から外気を吸い込んで、冷却風を水平方向に吹き出す。
また、基板用ケース８は、側面と、底面とから構成されており、ファンケース１０と接続される側にファンケース１０の天井と連続するように一部天井が張り渡されている。
また、複数の基板６の内、少なくとも最外に位置する２つの基板間をフラットケーブル７４で接続し、このフラットケーブル７４を基板ケースの天井の一部として兼用する。
この場合、コネクター７はフラットケーブル７４が基板用ケース８の天井部と連続した天井部を構成するように基板６の特定位置に取り付けられる。
これにより、ファンケース１０から吹き出される冷却風がハーネスによって閉塞されたり風向きを変えられたりすることなく、基板用ケース内を直進するため、圧力損失は殆どない。従って、冷却風は基板用ケース内をスムーズに流れるため、基板の冷却効率の低下を防ぐことができる。
なお、図４において、３枚の基板６が示されているが、これに限る必要はなく、最大収容可能枚数以内であれば何枚でも良い。冷却風の量や温度及びコネクターのサイズや基板の厚みなどの物理的な要因により基板の数の最大値を決めることができる。
【００１４】
以上のように、この実施の形態によれば、コネクター付きケーブルをフラットケーブルにし、最も外側に位置する２つの基板間をこのフラットケーブルで接続したので、基板ケースで構成される風路の一部を構成することができ、基板の冷却効率を高めることができる。
尚、上記各実施の形態では、誘導加熱調理器について説明したが、これに限る必要はなく、電気的に加熱調理を制御できるものであれば、火力を用いて加熱調理するものでも、高周波を用いて加熱調理するものでも適用可能である。
【産業上の利用可能性】
【００１５】
この発明に係る誘導加熱調理器は、調理器を製造、販売、使用する産業分野において広く利用することができる。
【符号の説明】
【００１６】
１  本体、２  トッププレート、３、３ａ、３ｂ  誘導加熱部、４  グリル部、５  前面意匠パネル、６  基板、７  コネクター、８  基板用ケース、９  コネクター（別の場所）、１０  ファンケース、７１  コネクター、７２  コネクター付きケーブル、７３  コネクター、７４  フラットケーブル、１００  誘導加熱調理器、２００  キッチンカウンター。
【図１】
0005591140.tif 000002
【図２】
0005591140.tif 000003
【図３】
0005591140.tif 000004
【図４】
0005591140.tif 000005